(57)【要約】【課題】車両の搭乗者の年齢に応じた情報を迅速に提供する。【解決手段】車両Ｓは通信装置６と接続されたディスプレイ装置５を搭載する。ディスプレイ装置５は遠赤外カメラを内蔵しており、サーバ２のインターネット３に対するネット接続の操作に連動して車両搭乗者を撮像して顔面画像を得ると共に、顔面画像と装置内部に記憶するテーブルに含まれる顔面とを比較することにより年齢を推定する。推定した年齢は通信装置６より無線基地局４ａ〜４ｃ及びインターネット３を経由してサーバ２へ送信される。サーバ２は受信した年齢に基づき提供する年齢に応じた情報を生成して、生成した情報を車両Ｓへ送信する。【選択図】        図１
2004334799.tif 000002
【特許請求の範囲】
【請求項１】
入力の受付を行う受付手段及び通信手段を有する車載機器へ無線通信により情報提供装置が情報を提供する車両用情報提供方法において、
前記車載機器は、
前記受付手段で車両搭乗者の年齢の受付を行い、
受付を行った年齢を前記通信手段により前記情報提供装置へ送信し、
前記情報提供装置は、
受信した年齢に応じた情報を前記車載機器へ送信することを特徴とする車両用情報提供方法。
【請求項２】
撮像手段及び通信手段を有する車載機器へ無線通信により情報提供装置が情報を提供する車両用情報提供方法であって、
前記車載機器は、
各年齢に対応した顔面を規定したテーブルを用意しており、
前記撮像手段で車両搭乗者の顔面を撮像し、
撮像した顔面画像及び前記テーブルで規定された顔面の比較を行い、
該比較により搭乗者の年齢を推定し、
推定した年齢を前記通信手段により前記情報提供装置へ送信し、
前記情報提供装置は、
受信した年齢に応じた情報を前記車載機器へ送信することを特徴とする車両用情報提供方法。
【請求項３】
撮像手段及び通信手段を有する車載機器へ無線通信により情報提供装置が情報を提供する車両用情報提供方法であって、
前記車載機器は、
前記撮像手段で車両搭乗者の顔面を撮像し、
撮像した顔面画像を前記通信手段により前記情報提供装置へ送信し、
前記情報提供装置は、
各年齢に対応した顔面を規定したテーブルを用意しており、
受信した顔面画像及び前記テーブルで規定された顔面の比較を行い、
該比較により搭乗者の年齢を推定し、
推定した年齢に応じた情報を前記車載機器へ送信することを特徴とする車両用情報提供方法。
【請求項４】
無線通信により外部へ情報の提供を行う情報提供装置において、
外部から年齢情報を受信する受信手段と、
該受信手段が受信した年齢情報に基づき情報を生成する情報生成手段と、
該情報生成手段が生成した情報を外部へ送信する手段と
を備えることを特徴とする情報提供装置。
【請求項５】
無線による通信手段を有する車載用機器において、
車両搭乗者の顔面が撮像可能な撮像手段と、
各年齢に対応した顔面を規定したテーブルと、
前記撮像手段が撮像した顔面画像及び前記テーブルで規定された顔面の比較を行う比較手段と、
該比較手段の比較により搭乗者の年齢を推定する推定手段と、
該推定手段が推定した年齢を前記通信手段により送信する手段と
を備えることを特徴とする車載用機器。
【請求項６】
無線により情報の受信を行う通信手段を有する車載用機器において、
車両搭乗者の顔面が撮像可能な撮像手段と、
各年齢に対応した顔面を規定したテーブルと、
前記撮像手段が撮像した顔面画像及び前記テーブルで規定された顔面の比較を行う比較手段と、
該比較手段の比較により搭乗者の年齢を推定する推定手段と、
該推定手段が推定した年齢に基づき前記通信手段が受信した情報を改変する情報改変手段と
を備えることを特徴とする車載用機器。
【請求項７】
通信手段を有する車載機器と、該車載装置へ無線通信により情報を提供する情報提供装置とを備える車両用情報提供システムにおいて、
前記車載機器は、
車両搭乗者の年齢を受け付ける受付手段と、
該受付手段が受け付けた年齢を前記情報提供装置へ送信する手段と
を備え、
前記情報提供装置は、
受信した年齢に応じた情報を前記車載機器へ送信する情報送信手段を備えることを特徴とする車両用情報提供システム。
【請求項８】
通信手段を有する車載機器と、該車載装置へ無線通信により情報を提供する情報提供装置とを備える車両用情報提供システムにおいて、
前記車載機器は、
車両搭乗者の顔面が撮像可能な撮像手段と、
各年齢に対応した顔面を規定したテーブルと、
前記撮像手段が撮像した顔面画像及び前記テーブルで規定された顔面の比較を行う比較手段と、
該比較手段の比較により搭乗者の年齢を推定する推定手段と、
該推定手段が推定した年齢を前記通信手段により送信する手段と
を備え、
前記情報提供装置は、
受信した年齢に応じた情報を前記車載機器へ送信する情報送信手段を備えることを特徴とする車両用情報提供システム。
【請求項９】
通信手段を有する車載機器と、該車載装置へ無線通信により情報を提供する情報提供装置とを備える車両用情報提供システムにおいて、
前記車載機器は、
車両搭乗者の顔面が撮像可能な撮像手段と、
該撮像手段が撮像した顔面画像を前記情報提供装置へ送信する手段と
を備え、
前記情報提供装置は、
各年齢に対応した顔面を規定したテーブルと、
受信した顔面画像及び前記テーブルで規定された顔面の比較を行う顔面比較手段と、
該顔面比較手段の比較により搭乗者の年齢を推定する年齢推定手段と、
該年齢推定手段が推定した年齢に応じた情報を前記車載機器へ送信する情報送信手段と
を備えることを特徴とする車両用情報提供システム。
【請求項１０】
前記情報提供装置は更に、
年齢都度に対応した情報を記憶する記憶手段と、
年齢に対応する情報を前記記憶手段より読み出す情報読出手段と
を備え、
前記情報送信手段は、
前記情報読出手段が読み出した情報を送信する構成にしてある請求項７乃至請求項９のいずれかに記載の車両用情報提供システム。
【請求項１１】
前記情報提供装置は更に、
年齢に基づき情報を生成する情報生成手段を備え、
前記情報送信手段は、
前記情報生成手段が生成した情報を送信する構成にしてある請求項７乃至請求項９のいずれかに記載の車両用情報提供システム。
【請求項１２】
前記車載機器は更に、情報の表示を行う表示手段を備える請求項７乃至請求項１１のいずれかに記載の車両用情報提供システム。
【請求項１３】
前記情報生成手段は、
年齢に基づいて、前記表示手段で表示される情報に係る文字サイズを設定する手段を備える請求項１２に記載の車両用情報提供システム。
【請求項１４】
前記情報生成手段は、
年齢に基づいて、前記表示手段で表示される情報に係る漢字の変換程度を設定する手段を備える請求項１２又は請求項１３に記載の車両用情報提供システム。
【請求項１５】
前記撮像手段は、遠赤外カメラである請求項８乃至請求項１４のいずれかに記載の車両用情報提供システム。
【請求項１６】
前記車載機器は更に、
起動に係る指示を受け付ける指示受付手段と、
該指示受付手段が指示を受け付けた場合、撮像命令を前記撮像手段へ伝送する手段と
を備え、
前記撮像手段は、
前記撮像命令が伝送された場合、撮像を行う構成にしてある請求項８乃至請求項１５に記載の車両用情報提供システム。
【発明の詳細な説明】
【０００１】
【発明の属する技術分野】
本発明は、情報提供装置から車両の搭乗者の年齢に応じた情報を提供する車両用情報提供方法、情報提供装置、車載用機器及び車両用情報提供システムに関する。
【０００２】
【従来の技術】
従来、情報提供装置に相当するサーバから車両に向けて各種情報（コンテンツ）を配信するようにしたシステムが存在する。このようなシステムでは、通信手段を内蔵する機器又は携帯電話器のような通信機器を接続可能とした機器を車両に搭載することで、外部のサーバより無線通信で各種情報を受信（ダウンロード）することが一般的であり、また、受信した情報は車載のモニタで表示される。
【０００３】
上述したようなシステムでは通信を開始すると、通常、システム固有のポータルサイトのようなオープニング画面（メニュー画面）が表示される。車両の搭乗者はオープニング画面で検索又は選択に係る操作を行うことで、検索又は選択に応じた要求信号が車両からサーバへ送信され、サーバは要求信号に応じた所望の情報を車載の機器へ配信する。
なお、車両に搭載された通信機器及びサーバ間の通信に関しては、下記の特許文献１でも開示されている。
【０００４】
【特許文献１】
特開２００２−１９５４８号公報
【０００５】
【発明が解決しようとする課題】
従来のサーバ及び車両間の情報配信に係るシステムでは、通信開始時に一定のオープニング画面が表示されるため、搭乗者が望む情報又は搭乗者に応じたポータルサイト画面等を迅速に表示できないと云う問題がある。即ち、要求される情報の中身は、通常、年齢層に応じて異なるが、現状のシステムでは固有のポータルサイトを最初に表示する仕様になっているため、複数回の操作を経なければ望む情報を表示できず、操作に係る手間が多大になっている。
【０００６】
また、配信される情報の表示形態は、年齢層に関係なく一定であると云う問題がある。例えば、情報の閲覧者である車両の搭乗者が幼児等である場合、漢字の混在した文字情報が表示されると、情報が搭乗者へ確実に認識されるのが困難になることもある。また、車両の搭乗者が老人等である場合、表示される文字サイズが小さいと、文字の視認が困難になることもある。
【０００７】
本発明は、斯かる事情に鑑みてなされたものであり、車両搭乗者の年齢を受け付けると共に、受け付けた年齢に応じた情報を情報提供装置が提供するようにした車両用情報提供方法、情報提供装置及び車両用情報提供システムを提供することを目的とする。
また、本発明は車両搭乗者の顔面を撮像して搭乗者の年齢を推定し、推定した年齢に応じた情報を情報提供装置が提供するようにした車両用情報提供方法及び車両用情報提供システムを提供することを目的とする。
【０００８】
さらに、本発明は、撮像により推定した搭乗者の年齢に基づき、受信した情報を改変するようにした車載用機器を提供することを目的とする。
さらに、また、本発明は、受信した情報を表示する際に、推定した年齢に応じた表示を可能とした車両用情報提供システムを提供することを目的とする。
【０００９】
【課題を解決するための手段】
第１発明に係る車両用情報提供方法は、入力の受付を行う受付手段及び通信手段を有する車載機器へ無線通信により情報提供装置が情報を提供する車両用情報提供方法において、前記車載機器は、前記受付手段で車両搭乗者の年齢の受付を行い、受付を行った年齢を前記通信手段により前記情報提供装置へ送信し、前記情報提供装置は、受信した年齢に応じた情報を前記車載機器へ送信することを特徴とする。
【００１０】
第２発明に係る車両用情報提供方法は、撮像手段及び通信手段を有する車載機器へ無線通信により情報提供装置が情報を提供する車両用情報提供方法であって、前記車載機器は、各年齢に対応した顔面を規定したテーブルを用意しており、前記撮像手段で車両搭乗者の顔面を撮像し、撮像した顔面画像及び前記テーブルで規定された顔面の比較を行い、該比較により搭乗者の年齢を推定し、推定した年齢を前記通信手段により前記情報提供装置へ送信し、前記情報提供装置は、受信した年齢に応じた情報を前記車載機器へ送信することを特徴とする。
【００１１】
第３発明に係る車両用情報提供方法は、撮像手段及び通信手段を有する車載機器へ無線通信により情報提供装置が情報を提供する車両用情報提供方法であって、前記車載機器は、前記撮像手段で車両搭乗者の顔面を撮像し、撮像した顔面画像を前記通信手段により前記情報提供装置へ送信し、前記情報提供装置は、各年齢に対応した顔面を規定したテーブルを用意しており、受信した顔面画像及び前記テーブルで規定された顔面の比較を行い、該比較により搭乗者の年齢を推定し、推定した年齢に応じた情報を前記車載機器へ送信することを特徴とする。
【００１２】
第４発明に係る情報提供装置は、無線通信により外部へ情報の提供を行う情報提供装置において、外部から年齢情報を受信する受信手段と、該受信手段が受信した年齢情報に基づき情報を生成する情報生成手段と、該情報生成手段が生成した情報を外部へ送信する手段とを備えることを特徴とする。
【００１３】
第５発明に係る車載用機器は、無線による通信手段を有する車載用機器において、車両搭乗者の顔面が撮像可能な撮像手段と、各年齢に対応した顔面を規定したテーブルと、前記撮像手段が撮像した顔面画像及び前記テーブルで規定された顔面の比較を行う比較手段と、該比較手段の比較により搭乗者の年齢を推定する推定手段と、該推定手段が推定した年齢を前記通信手段により送信する手段とを備えることを特徴とする。
【００１４】
第６発明に係る車載用機器は、無線により情報の受信を行う通信手段を有する車載用機器において、車両搭乗者の顔面が撮像可能な撮像手段と、各年齢に対応した顔面を規定したテーブルと、前記撮像手段が撮像した顔面画像及び前記テーブルで規定された顔面の比較を行う比較手段と、該比較手段の比較により搭乗者の年齢を推定する推定手段と、該推定手段が推定した年齢に基づき前記通信手段が受信した情報を改変する情報改変手段とを備えることを特徴とする。
【００１５】
第７発明に係る車両用情報提供システムは、通信手段を有する車載機器と、該車載装置へ無線通信により情報を提供する情報提供装置とを備える車両用情報提供システムにおいて、前記車載機器は、車両搭乗者の年齢を受け付ける受付手段と、該受付手段が受け付けた年齢を前記情報提供装置へ送信する手段とを備え、前記情報提供装置は、受信した年齢に応じた情報を前記車載機器へ送信する情報送信手段を備えることを特徴とする。
【００１６】
第８発明に係る車両用情報提供システムは、通信手段を有する車載機器と、該車載装置へ無線通信により情報を提供する情報提供装置とを備える車両用情報提供システムにおいて、前記車載機器は、車両搭乗者の顔面が撮像可能な撮像手段と、各年齢に対応した顔面を規定したテーブルと、前記撮像手段が撮像した顔面画像及び前記テーブルで規定された顔面の比較を行う比較手段と、該比較手段の比較により搭乗者の年齢を推定する推定手段と、該推定手段が推定した年齢を前記通信手段により送信する手段とを備え、前記情報提供装置は、受信した年齢に応じた情報を前記車載機器へ送信する情報送信手段を備えることを特徴とする。
【００１７】
第９発明に係る車両用情報提供システムは、通信手段を有する車載機器と、該車載装置へ無線通信により情報を提供する情報提供装置とを備える車両用情報提供システムにおいて、前記車載機器は、車両搭乗者の顔面が撮像可能な撮像手段と、該撮像手段が撮像した顔面画像を前記情報提供装置へ送信する手段とを備え、前記情報提供装置は、各年齢に対応した顔面を規定したテーブルと、受信した顔面画像及び前記テーブルで規定された顔面の比較を行う顔面比較手段と、該顔面比較手段の比較により搭乗者の年齢を推定する年齢推定手段と、該年齢推定手段が推定した年齢に応じた情報を前記車載機器へ送信する情報送信手段とを備えることを特徴とする。
【００１８】
第１０発明に係る車両用情報提供システムは、前記情報提供装置は更に、年齢都度に対応した情報を記憶する記憶手段と、年齢に対応する情報を前記記憶手段より読み出す情報読出手段とを備え、前記情報送信手段は、前記情報読出手段が読み出した情報を送信する構成にしてあることを特徴とする。
第１１発明に係る車両用情報提供システムは、前記情報提供装置は更に、年齢に基づき情報を生成する情報生成手段を備え、前記情報送信手段は、前記情報生成手段が生成した情報を送信する構成にしてあることを特徴とする。
【００１９】
第１２発明に係る車両用情報提供システムは、前記車載機器は更に、情報の表示を行う表示手段を備えることを特徴とする。
第１３発明に係る車両用情報提供システムは、前記情報生成手段は、年齢に基づいて、前記表示手段で表示される情報に係る文字サイズを設定する手段を備えることを特徴とする。
第１４発明に係る車両用情報提供システムは、前記情報生成手段は、年齢に基づいて、前記表示手段で表示される情報に係る漢字の変換程度を設定する手段を備えることを特徴とする。
【００２０】
第１５発明に係る車両用情報提供システムは、前記撮像手段は、遠赤外カメラであることを特徴とする。
第１６発明に係る車両用情報提供システムは、前記車載機器は更に、起動に係る指示を受け付ける指示受付手段と、該指示受付手段が指示を受け付けた場合、撮像命令を前記撮像手段へ伝送する手段とを備え、前記撮像手段は、前記撮像命令が伝送された場合、撮像を行う構成にしてあることを特徴とする。
【００２１】
第１発明及び第７発明にあっては、車載機器で受け付けた車両搭乗者の年齢を情報提供装置へ送信すると共に、情報提供装置は受信した年齢に応じた情報を車両側へ送信するので、車両搭乗者は複数回の操作を行うことなくスムーズに自身の年齢に応じた情報を入手できる。
【００２２】
第２発明及び第８発明にあっては、車載機器で車両搭乗者の顔面を撮像して比較処理等を行うことにより推定した年齢を情報提供装置へ送信する一方、情報提供装置は受信した年齢に応じた情報を車両側へ送信するので、車両搭乗者は特段の操作を行うことなく、通信の開始操作を行うだけで自身の年齢に合致した情報を迅速に得ることができる。
【００２３】
第３発明及び第９発明にあっては、車載機器で撮像した車両搭乗者の顔面画像を情報提供装置へ送信する一方、情報提供装置は受信した顔面画像に対する比較処理等を行うことにより推定した年齢に応じた情報を車両側へ送信するので、車両搭乗者は通信の開始操作を行うだけで年齢に応じた情報を取得できる。また、車載機器側では年齢推定に係る処理を不要にできるため、車載機器の処理負担を低減できコスト低減を図れる。
【００２４】
第４発明及び第１１発明にあっては、情報提供装置が受信した年齢に基づき情報を生成すると共に生成した情報を送信するので、受信した内容に柔軟に対応して所要の情報を提供できる。なお、情報の生成に関しては、スクリプト系の言語を用いて情報を生成すれば、情報の中身を年齢に基づき動的に変更できるため好ましい。
【００２５】
第５発明にあっては、車載用機器が車両搭乗者の顔面撮像を行い、テーブルに規定した顔面との比較処理等を経て推定した年齢を無線で外部へ送信するため、年齢に応じた情報の提供を行うシステムに好適に用いることができる。
【００２６】
第６発明にあっては、車載用機器が撮像した車両搭乗者の顔面画像に対する比較処理等により推定した年齢に基づき、受信した情報を改変するので、車両搭乗者の年齢に応じた情報の提供を車両側の処理で行える。なお、情報の改変は情報自体の作成をスクリプト系の言語で行うと、情報の中身を動的に改変できるため好適である。
【００２７】
第１０発明にあっては、情報提供装置が年齢都度に対応する情報を記憶するので、受信又は推定した年齢に応じた情報を読み出すことにより、容易に年齢に応じた情報を提供できる。
第１２発明にあっては、車載機器が表示手段を備えるので、年齢に応じた情報を車両内で表示できる。
【００２８】
第１３発明にあっては、情報生成手段が年齢に基づき表示される情報の文字サイズを設定するので、年齢に応じた文字サイズで情報の表示が可能となり、情報の見やすさを確保できる。なお、情報がＨＴＭＬ（Ｈｙｐｅｒｔｅｘｔ  Ｍａｒｋｕｐ  Ｌａｎｇｕａｇｅ）等のマークアップ言語で作成されている場合は、文字サイズに係る数値を年齢に応じて所要の値に設定することで、容易に適切な文字サイズに変更できる。
【００２９】
第１４発明にあっては、情報生成手段が年齢に基づき漢字の変換程度を設定するので、情報に係る漢字及びひらがな等の混在の程度を年齢に応じて適切に調整できる。その結果、幼児及び成人等の年齢に関係なく情報内容を認識しやすい表示形態を確保できる。
第１５発明にあっては、撮像手段に遠赤外カメラを用いるので、所要の明るさを確保するのが困難な車内、また、夜間等においても確実に車両搭乗者の顔面を撮像できる。
【００３０】
第１６発明にあっては、起動に係る指示に応じて撮像手段が撮像を行うので、起動に係る指示をトリガにして年齢推定に係る処理を開始できる。また、車載機器が撮像手段及び指示を受け付ける指示受付手段を備えることは、車両搭乗者が指示を出すときは通常、車載機器に対面するため、確実に車両搭乗者の顔面を撮像する観点からも好適になる。
【００３１】
【発明の実施の形態】
以下、本発明をその実施の形態を示す図面に基づいて説明する。
図１は、本発明の第１実施形態に係る車両用情報提供システム１の全体的な構成を示している。車両用情報提供システム１は、情報提供装置に相当するサーバ２が車両Ｓへ無線通信により情報を提供するものであり、サーバ２はインターネット３に接続されると共に、インターネット３が有する複数の無線基地局４ａ〜４ｃで車両Ｓと無線通信を行う。
【００３２】
一方、車両Ｓには無線用の通信手段として通信装置６が搭載されると共に無線装置６と接続線７で接続された車載機器としてディスプレイ装置５が搭載されている。第１実施形態ではディスプレイ装置５が撮像手段を備えており、この撮像手段により撮像した車両Ｓの搭乗者の顔面画像より搭乗者の年齢を推定し、推定した年齢をサーバ２へ送信することにより、年齢に応じた情報を自動的に取得している。
【００３３】
図２はディスプレイ装置５の内部構成を示すブロック図であり、図３はディスプレイ装置５の外観を示す概略図である。ディスプレイ装置５は撮像手段として機能する遠赤外カメラ１０、表示画面５ａ等を含む表示モジュール１１、年齢の推定に係る各種処理を行う信号処理ＬＳＩ１２、情報及びデータ等の通信処理を行う通信インタフェースＬＳＩ１３、接続線７の接続用のコネクタ１４、各種操作を受け付ける操作部１６、通信及び内部処理等の制御を行うマイコン１５、比較用のテーブル等を記憶するＲＯＭ１７及び処理に係るデータ等を一次的に記憶するＲＡＭ１８を有している。
【００３４】
遠赤外カメラ１０は人体が発する７〜１４μｍの波長に対応できる仕様になっており、具体的にはマイクロボロメータ素子のような撮像素子部（図示せず）を備えると共に、この撮像素子部に対向させてＺｎＳのような遠赤外透過材料製の撮像レンズ１０ａ（図３参照）を設けている。また、遠赤外カメラ１０は、後述するように、マイコン１５より撮像命令が伝送された場合、上述した撮像素子部で撮像を行い、撮像した画像を信号処理ＬＳＩ１２へ伝送する処理を行う。
【００３５】
さらに、遠赤外カメラ１０は車両Ｓの搭乗者の顔面を撮像対象にしており、遠距離の撮像が不要なため、撮像レンズ１０ａには視野角が１２０度、直径が１０ｍｍのものを用いると共にディスプレイ装置５の下枠５ｂの端部に撮像レンズ１０ａを配置し、ディスプレイ装置５の外観デザインを妨げないようにしている。
【００３６】
なお、撮像レンズ１０ａは上述した仕様に限定されるものではなく、視野角が１２０度〜１５０度、及び、直径が１０ｍｍ以下のものを適用できる。このように遠赤外カメラ１０を用いることで、戸外に比べて暗い車内及び夜間でも確実に搭乗者の顔面を撮像できる。また、撮像レンズ１０ａをディスプレイ装置５の下枠５ｂの端部に配置することで、ディスプレイ装置５に対して搭乗者が操作を行う際に、搭乗者の顔面を確実に撮像することが可能になる。
【００３７】
表示モジュール１１は表示手段に相当し、信号処理ＬＳＩ１２から伝送される情報を表示画面５ａで表示する処理を行うものである。また、表示モジュール１１は、表示対象の情報における表示用の文字サイズは、情報に含まれる文字サイズの数値に基づいて決定し、また、情報に係る文字の漢字への変換程度も情報に含まれる変換程度を規定した数値に基づいて決定される。よって、表示モジュール１１は、情報に係る文字に対しては、上述したように決定される文字サイズ及び変換程度で表示を行う。
【００３８】
操作部１６は、図３に示すようにディスプレイ装置５の下枠５ｂに配置した計４個のスイッチ１６ａ〜１６ｄを有しており、各スイッチ１６ａ〜１６ｄによりディスプレイ装置５の機能及び通信に係る操作を受け付ける。特に、右側のスイッチ１６ｄはネット接続スイッチとして通信開始の起動に係る指示を受け付ける指示受付手段に相当している。また、各スイッチ１６ａ〜１６ｄは操作を受け付けた場合、受け付けた操作に係る指示をマイコン１５に伝送する。
【００３９】
マイコン１５は、操作部１６で受け付けた指示に基づき遠赤外カメラ１０、信号処理ＬＳＩ１２及び通信インタフェースＬＳＩ１３等に対して各種制御処理を行う。特に、操作部１６のスイッチ１６ｄが操作されることで指示を受け付けた場合、遠赤外カメラ１０へ撮像命令を伝送する処理を行う。また、マイコン１５は、後述するように信号処理ＬＳＩ１２より推定された年齢が伝送された場合、伝送された年齢をパラメータの形態で載せる送信用のパケットを生成し、生成したパケットを通信インタフェースＬＳＩ１３に渡して送信する制御処理も行う。
【００４０】
ＲＯＭ１７は、各年齢に対応した顔面を規定したテーブルを記憶している。このテーブルは、調査及び研究等により得た各年齢に対する顔の輪郭、しわ、顔全体における目、鼻及び口の位置等を規定したものであり、１０代、２０代、３０代、４０代及び５０代等の年代毎に顔面状態が概略的に相異して推移すること分かる内容になっている。
【００４１】
信号処理ＬＳＩ１２は、車両Ｓの搭乗者の顔面を撮像した顔面画像が遠赤外カメラ１０より伝送された場合、伝送された顔面画像とＲＯＭ１７に記憶されるテーブルで規定された顔面を比較する処理を比較手段として行う。なお、顔面画像及びテーブルが規定する顔面に対する具体的な比較処理としては、顔の輪郭、しわ、顔全体における目、鼻及び口の位置等を夫々比較して同一である度合いを判断することになる。
【００４２】
また、信号処理ＬＳＩ１２は、推定手段として比較手段の比較により最も同一度が高いテーブルで規定される顔面に対応した年齢を、撮像した顔面の年齢であると推定する処理を行う。なお、年齢を推定した場合、信号処理ＬＳＩ１２は推定した年齢をマイコン１５へ伝送する処理を行う。
【００４３】
通信インタフェースＬＳＩ１３は、図１に示す車載の通信装置６との接続用インタフェースであり、通信装置６が受信した情報を接続線７を通じてディスプレイ装置５へ取り込む処理を行うと共に、送信対象の情報及びパラメータ等を載せたパケットを通信装置６へ伝送する処理を行う。なお、通信インタフェースＬＳＩ１３は受信した情報を信号処理ＬＳＩ１２へ伝送し、送信対象の情報はマイコン１５から伝送される。
【００４４】
また、図１に示すようにディスプレイ装置５は接続線７で通信装置６を接続することで、通信装置６を有する形態になっている。通信装置６は第１実施形態では携帯電話器を用いており、接続線７から伝送された情報を外部のサーバ２宛に無線基地局４ａ〜４ｃ及びインターネット３を介して送信する処理を行うと共に、サーバ２が送信した情報を受信して接続線７を通じてディスプレイ装置５へ伝送する処理を行う。
【００４５】
図４はサーバ２の内部構成を示すブロック図である。サーバ２は、インターネット３のＷｅｂ上で起動させるプログラム及び送信対象の情報等を記憶する情報記憶部２ａ、情報生成及び通信等に係る各種処理を行うＣＰＵ２ｂ、インターネット３と接続される通信インタフェース２ｃ、各種データ等を記憶するＲＯＭ２ｄ及び処理に係る各種データを一時的に記憶するＲＡＭ２ｅを内部バス２ｆで接続した構成にしている。
【００４６】
通信インタフェース２ｃは、車両Ｓの通信装置６から送信された年齢に係るパラメータを載せたパケットをインターネット３を経由して受信する処理を行っており、受信した年齢のパラメータをＣＰＵ２ｂへ伝送する処理も行う。また、通信インタフェース２ｃは、情報送信手段としてＣＰＵ２ｂから伝送される送信対象の情報をインターネット３を経由して送信する処理を行う。
【００４７】
情報記憶部２ａは、提供する各種情報を多数記憶しており、これらの情報にはポータルサイトに対応した情報も含まれている。また、各情報はＨＴＭＬで記載されており、スクリプト環境で動的に情報の中身を変更可能にしている。さらに、各情報には表示する際の文字サイズ及び変換程度を規定する数値も所要のデフォルト値で記載されている。
【００４８】
ＣＰＵ２ｂは情報生成手段に相当し、通信インタフェース２ｃより受信されたパケットに含まれる年齢のパラメータが伝送された場合、情報記憶部２ａに記憶される情報を元にして、伝送された年齢に基づき送信対象の情報を生成する処理を行う。
【００４９】
例えば、２０歳に対応するパラメータがＣＰＵ２ｂに伝送された場合、ＣＰＵ２ｂは情報記憶部２ａに記憶されるポータルサイトに係る情報を読み出すと共に、この読み出した情報の中身を利用し、伝送されたパラメータに基づき新たな内容を生成する処理を行う。ＣＰＵ２ｂが上述した処理を行うことで、年齢に応じた内容を有するポータルサイトの情報を生成できる。
【００５０】
また、７０歳に対応するパラメータがＣＰＵ２ｂに伝送された場合、ＣＰＵ２ｂは上述した年齢に応じたポータルサイト情報の生成処理に加えて、情報表示に対する文字サイズを規定する数値をデフォルト値から、文字サイズが大きくなるような数値へ変更設定する処理を行う。
【００５１】
さらに、５歳に対応するパラメータがＣＰＵ２ｂに伝送された場合、ＣＰＵ２ｂは上述した年齢に応じたポータルサイト情報の生成処理に加えて、情報表示に対する文字の変換程度を規定する数値をデフォルト値から、漢字へ変換される程度が少なくなるような数値へ変更設定する処理を行う。
【００５２】
次に、上述した構成の車両用情報提供システム１における車両用情報提供方法に係る一連の処理手順を車両Ｓ側及びサーバ２側に分けて図５に示す第１フローチャートに基づいて説明する。
先ず、車両Ｓ側で図３に示すディスプレイ装置５の右端のスイッチ１６ｄ（ネット接続スイッチ）をオンにして情報の取得処理を開始する（Ｓ１）。ネット接続スイッチのオンに連動して遠赤外カメラ１０は車両Ｓの搭乗者の顔面を撮像する（Ｓ２）。
【００５３】
なお、この撮像はネット接続スイッチの操作に連動して行われるため、ディスプレイ装置５のスイッチ操作を行うとき、通常、搭乗者はディスプレイ装置５の方を向くことより搭乗者の顔面画像の撮像が容易になる。
次に、ディスプレイ装置５は、撮像した顔面画像及びテーブルで規定した顔面を比較し（Ｓ３）、搭乗者の年齢を推定する（Ｓ４）。さらに、ディスプレイ装置５は推定した年齢をパラメータの状態でパケットに載せてサーバへ送信する（Ｓ５）。
【００５４】
一方、サーバ２は、受信したパケットに載った年齢に基づいた情報であるポータルサイトを年齢に係るパラメータを参照して生成し（Ｓ６）、生成した情報を車両Ｓ側へ無線で送信する処理を行う（Ｓ７）。なお、年齢に基づいた情報を生成する際には、年齢に応じた文字サイズの数値設定及び漢字の変換程度の設定処理を適宜行う。
【００５５】
サーバ２から年齢に応じたポータルサイトに係る情報が送信されると、車両Ｓ側では、通信装置６により情報が受信され（Ｓ８）、受信した情報のポータルサイトがディスプレイ装置５の画面５ａに表示される（Ｓ９）。
このように第１実施形態に係る車両用情報提供システム１では、搭乗者がネット接続スイッチをオンにするだけで、最初に自身の年齢に応じたポータルサイトがディスプレイ装置５に表示されるため、適切な情報を迅速に提供できる。また、文字サイズ及び漢字の変換程度も年齢に応じた表示形態になっているため、情報に対する良好な視認性も確保されている。
【００５６】
なお、第１実施形態に係る車両用情報提供システム１は上述した形態に限定されるものではなく、種々の変形例の適用が可能である。例えば、図６に示す車両Ｓのように、上述したディスプレイ装置５と同様の構成である前席ディスプレイ装置５Ａ及び後席ディスプレイ装置５Ｂを車内の前席及び後席に夫々配置し、各ディスプレイ装置５Ａ、５Ｂを夫々接続線７ａ、７ｂで通信装置６に接続する構成にしてもよい。
【００５７】
このように前席及び後席に夫々ディスプレイ装置５Ａ、５Ｂを配置することで、前席の搭乗者の年齢に応じた情報を前席ディスプレイ装置５Ａで表示できると共に、後席の搭乗者の年齢に応じた情報を後席ディスプレイ装置５Ｂで表示でき、各席の搭乗者に個別対応した情報の表示形態が可能になる。図６に示すように前席の中央及び後席の中央に各ディスプレイ装置５Ａ、５Ｂを配置することで、各席の搭乗者が撮像範囲に入り、各搭乗者の顔面の撮像が可能になる。
【００５８】
なお、車両Ｓが３列以上の座席を有する場合は、列毎にディスプレイ装置５を配置することは勿論可能である。また、ディスプレイ装置５及び通信装置６は、情報を伝送する接続線７（ワイヤハーネス）で接続する以外にも、各装置５、６にネットワーク用のインタフェースを設けて、ネットワークケーブルにより各装置５、６をネットワーク接続した構成にしてもよい。さらに、ネットワーク接続した場合は、オーディオ装置及びナビゲーション装置の様な情報系に属する各種車載機器もネットワーク接続に含ませることも可能である。
【００５９】
また、通信装置６は携帯電話器を適用する以外に、ＰＨＳ端末器、ＤＳＲＣ無線機、無線ＬＡＮ装置等を適用でき、このような種々の通信形態の通信装置自体をディスプレイ装置５のような構成の車載機器に内蔵することも可能である。なお、このように携帯電話器以外の通信形態にする場合は、車両Ｓの外部の無線基地局４ａ〜４ｃも各通信形態に応じた仕様にする必要がある。
【００６０】
さらに、ディスプレイ装置５は、年齢を推定した場合、年齢に係るパラメータをパケットに載せて送信する以外に、各年齢に対応したポータルサイトのＵＲＬ（Ｕｎｉｆｏｒｍ  Ｒｅｓｏｕｒｃｅ  Ｌｏｃａｔｏｒ）を規定したテーブルを図２に示すＲＯＭ１７に記憶させ、推定した年齢に対応したＵＲＬを特定すると共に、特定したＵＲＬにアクセスして年齢に応じたポータルサイトを表示する仕様にしてもよい。
【００６１】
さらに、また、サーバ２は、上述したように受信した年齢に応じた情報（ポータルサイト）を動的に生成するのではなく、図４に示す情報記憶部２ａに年齢都度に対応した情報を記憶手段として記憶させると共に、情報読出手段として機能させるＣＰＵ２ｂで年齢に対応した情報を情報記憶部２ａから読み出させて、通信インタフェース２ｃより送信する構成にしてもよい。
【００６２】
図７は、本発明の第２実施形態に係る車両用情報提供システム２０の全体的な構成を示している。第２実施形態の車両用情報提供システム２０は、車両Ｓ側から搭乗者の顔面画像を送信し、サーバ２で搭乗者の年齢を推定して年齢に応じた情報を車両Ｓへ向けて送信する構成にしていることが第１実施形態と相異している。
【００６３】
即ち、ディスプレイ装置２５は、図２に示す第１実施形態のディスプレイ装置５より信号処理ＬＳＩ１２、マイコン１５、ＲＯＭ１７及びＲＡＭ１８を省略した構成にしている。具体的には、接続線２７の接続用のコネクタ３７に接続された通信インタフェースＬＳＩ３３に表示モジュール３１、遠赤外カメラ３０及び操作部３６が直接的に接続されると共に遠赤外カメラ３０に操作部３６が接続される構成になっている。
【００６４】
表示モジュール３１及び通信インタフェース３３等の各部の機能等は基本的に第１実施形態と同様であるが送信する対象が画像であることが相異する。そのため操作部３６のネット接続スイッチがオンされると遠赤外カメラ３０が撮像を行い、撮像した搭乗者の顔面画像が通信インタフェースＬＳＩ３３へ伝送され、通信インタフェースＬＳＩ３３で顔面画像を載せたパケットを生成して通信装置２６よりサーバ２２へ送信する処理が、車両Ｓ側で行われる。なお、図７においてはインターネット２３の無線基地局は省略している。
【００６５】
一方、サーバ２２のハード的な内部構成は図４に示す第１実施形態の構成と同様であるが、各部の処理内容等が第１実施形態と相異している。具体的には情報記憶部２２ａは、提供用の情報に加えて第１実施形態では図２に示すディスプレイ装置５のＲＯＭ１７が記憶していた年齢毎の顔面を規定したテーブルを記憶している。また、通信インタフェース２２ｃは車両Ｓ側より無線で送信された顔面画像を受信するとＣＰＵ２２ｂへ伝送し、ＣＰＵ２２ｂは伝送された顔面画像及びテーブルで規定された顔面の比較を行う顔面比較手段として機能する。
【００６６】
さらに、ＣＰＵ２２ｂは、比較により搭乗者の年齢を推定する年齢推定手段としても機能すると共に、推定した年齢に応じた情報を第１実施形態と同様に情報生成手段として生成し、生成した情報を通信インタフェース２２ｃより車両Ｓへ向けて送信する処理を行う。なお、ＣＰＵ２２ｂは、情報生成の際には文字サイズ及び漢字変換の程度設定に係る処理も行う。また、上述した箇所以外のサーバ２２におけるＲＯＭ２２ｄ及びＲＡＭ２２ｅ等の各部は第１実施形態と同様の処理等を行う。
【００６７】
次に、上述した構成の第２実施形態の車両用情報提供システム２０における車両用情報提供方法に係る一連の処理手順を車両Ｓ側及びサーバ２２側に分けて図８に示す第２フローチャートに基づいて説明する。
先ず、車両Ｓ側では、ディスプレイ装置２５の操作部３６のネット接続スイッチをオンにし（Ｓ１０）、ネット接続スイッチのオンに連動して遠赤外カメラ３０が車両Ｓの搭乗者の顔面を撮像し（Ｓ１１）、撮像した顔面画像をサーバ２２へ送信する（Ｓ１２）。
【００６８】
次に、サーバ２２は、受信した顔面画像及びテーブルで規定した顔面を比較し（Ｓ１３）、搭乗者の年齢を推定し（Ｓ１４）、推定した年齢に基づいた情報を生成し（Ｓ１５）、最後に、生成した情報を車両Ｓ側へ送信する（Ｓ１６）。
車両Ｓ側では、送信された情報を受信し（Ｓ１７）、受信した情報の表示を行う（Ｓ１８）。
【００６９】
このように第２実施形態の車両用情報提供システム２０でも、複数の操作を行うことなく搭乗者の顔面を撮像することで、年齢に応じた情報（ポータルサイト）を迅速にダウンロードして表示できる。また、第２実施形態では、車両Ｓのディスプレイ装置２５は画像の比較及び年齢推定等に係る処理を行わないため、処理負担が軽減され内部構成も第１実施形態に比べて簡易にできる。なお、第２実施形態に係る車両用情報提供システム２０でも、第１実施形態に係る各種変形例（車両Ｓ側からの送信処理に係るものは除く）の適用が可能である。また、図７において、通信インタフェースＬＳＩ３３及び遠赤外カメラ３０をデジタル伝送可能に接続する場合は、操作部３６は遠赤外カメラ３０を介して通信インタフェースＬＳＩ３６と接続でき、直接的な接続を不要にできる。
【００７０】
図９は、本発明の第３実施形態に係る車両用情報提供システムの車両に搭載されるディスプレイ装置４５の内部構成を示すブロック図である。第３実施形態の車両用情報提供システムは、全体的な構成は第１実施形態と同様であり、車両Ｓには通信装置と接続されたディスプレイ装置４５を搭載して、無線通信によりインターネットを経由してサーバより各種情報の提供を受ける構成となっている。よって、第３実施形態のサーバは基本的に従来のものを適用できるが、提供する情報はＨＴＭＬデータ等の動的に変更できるデータであることが要求される。
【００７１】
第３実施形態では、サーバは車両Ｓからのアクセスに応じて情報を提供するのみで、車両Ｓに搭載されたディスプレイ装置４５で搭乗者の年齢を推定し、推定した年齢に基づきサーバから受信した情報を改変して表示することが第１実施形態及び第２実施形態と相異している。
【００７２】
よって、上述した処理を行うためにディスプレイ装置４５は、図２に示す第１実施形態のディスプレイ装置５に比べて、通信インタフェースＬＳＩ４５ｄ及び表示モジュール４５ｃをマイコン４５ｇに接続している点が相異する。また、マイコン４５は、操作部４５ｆのネット接続スイッチのオンに連動して遠赤外カメラ４５ａが撮像を行うように制御することに加えて、サーバへ情報要求信号を送信して情報の提供を受けるようにすることが第１実施形態と相異する。
【００７３】
さらに、マイコン４５は、信号処理ＬＳＩ４５ｂから推定された年齢が伝送されると、サーバ２２からダウンロードした情報を通信インタフェースＬＳＩ４５ｄより受け取り、受け取った情報を年齢に基づき情報改変手段として改変する処理を行う。この改変処理は第１実施形態のサーバ２が情報を動的に生成するのと同等な処理になる。さらに、また、マイコン４５は改変した情報を表示モジュール４５ｃへ伝送して年齢に応じた情報を表示するように制御している。なお、上述した箇所以外のディスプレイ装置４５の各部は基本的に第１実施形態と同様の構成及び機能になっている。
【００７４】
次に、上述した構成の第３実施形態の車両用情報提供システムにおける車両用情報提供方法に係る一連の処理手順を車両側及びサーバ側に分けて図１０に示す第３フローチャートに基づいて説明する。
先ず、車両側では、ディスプレイ装置４５の操作部４５ｆのネット接続スイッチをオンにし（Ｓ２０）、遠赤外カメラ４５ａで搭乗者の顔面を撮像し（Ｓ２１）、撮像した顔面画像及びテーブルで規定した顔面を比較し（Ｓ２２）、搭乗者の年齢を推定する（Ｓ２３）。また、ディスプレイ装置４５はネット接続スイッチのオンに伴い情報要求信号をサーバへ送信する処理も行う（Ｓ２４）。
【００７５】
サーバは受信した情報要求信号に対応する情報を車両側へ送信する（Ｓ２５）。さらに、車両側では送信された情報を受信し（Ｓ２６）、受信した情報を推定した年齢に基づき改変し（Ｓ２７）、改変した情報の表示を行う（Ｓ２８）。
【００７６】
このように第３実施形態の車両用情報提供システムでも、サーバへの接続に係る操作を行うだけで、年齢に応じた情報を容易に表示できる。また、第３実施形態では、年齢に応じた情報の表示に係る処理の大半を車両側で行うため、サーバ側での特別な処理は要求されないため、車両側の構成のみで対応できる利点がある。なお、第３実施形態に係る車両用情報提供システムでも、第１実施形態に係る各種変形例（車両側からの送信処理に係るもの及びサーバの処理等に係るものは除く）の適用が可能である。
【００７７】
図１１は、本発明の第４実施形態に係る車両用情報提供システム５０の全体的な構成を示している。第４実施形態の車両用情報提供システム５０は、搭乗者の顔面撮像を行わず、車両Ｓ側で搭乗者の年齢入力を受け付けてサーバ５２へ送信し、サーバ５２は受け付けた年齢に応じた情報を車両Ｓ側へ送信する構成にしていることが第１〜第３実施形態と相異している。
【００７８】
車両Ｓに搭載されるディスプレイ装置５５は、表示モジュール６１、通信インタフェースＬＳＩ６３、コネクタ６４及び操作部６６を備えている。操作部６６は年齢を受け付ける受付手段として機能しており、具体的には搭乗者の年齢入力を受け付ける年齢受付スイッチ（図示せず）を有し、操作スイッチが受け付けた年齢を通信インタフェースＬＳＩ６３へ伝送する処理を行う。なお、操作部６６は年齢受付スイッチ以外にもネット接続スイッチ等の各種操作スイッチを備えるのは上記各実施形態と同様である。
【００７９】
通信インタフェースＬＳＩ６３は、操作部６６のネット接続スイッチがオンされることで伝送された年齢をパラメータとして載せたパケットを生成して接続線５７で接続された通信装置５６より無線通信でインターネット５３（無線基地局の図示は省略）を経由してサーバ５２へ送信する処理を行う。また、通信インタフェースＬＳＩ６３は、通信装置５６で受信した情報を表示モジュール６１へ伝送する処理を行い、表示モジュール６１は伝送された情報を表示する。
【００８０】
なお、第４実施形態のディスプレイ装置５５は、撮像処理を行わないので上述した各実施形態のディスプレイ装置５、２５、４５に比べて簡易な構成になっている。
一方、サーバ５２は、第１実施形態のサーバ２と同様の構成であり、年齢に応じた情報の提供処理を行う。
【００８１】
次に、第４実施形態の車両用情報提供システム５０における車両用情報提供方法に係る一連の処理手順を車両Ｓ側及びサーバ５２側に分けて図１２に示す第４フローチャートに基づいて説明する。
先ず、車両Ｓ側では操作部６６の年齢受付スイッチが操作されることで年齢が入力されてディスプレイ装置５５で年齢が受け付けられる（Ｓ３０）。また、操作部６６のネット接続スイッチがオンされると（Ｓ３１）、ディスプレイ装置５５は受け付けた年齢をパケットでサーバ５２へ送信する処理を行う（Ｓ３２）。
【００８２】
サーバ５２は、受信したパケットに載った年齢に基づいた情報を生成し（Ｓ３３）、生成した情報を車両Ｓ側へ無線で送信する処理を行う（Ｓ３４）。車両Ｓ側は情報を受信し（Ｓ３５）、受信した情報を表示する（Ｓ３６）。このように第４実施形態では、年齢の入力により情報の提供を行うので、他の実施形態に比べて情報提供に係る処理を簡略化できる。なお、第４実施形態の車両用情報提供システム５０でも、第１実施形態に係る各種変形例（車両側での撮像処理に係るものは除く）の適用が可能である。
【００８３】
【発明の効果】
以上に詳述した如く、第１発明及び第７発明にあっては、受け付けた車両搭乗者の年齢を車両側から情報提供装置へ送信し、情報提供装置は受信した年齢に応じた情報を車両側へ送信するので、車両搭乗者は年齢の入力操作を行うことで容易に自身の年齢に応じた情報を入手できる。
第２発明及び第８発明にあっては、車両搭乗者の顔面撮像及び比較処理等を行うことで推定した年齢を車両側から情報提供装置へ送信する一方、情報提供装置は年齢に応じた情報を車両側へ送信するため、車両搭乗者は特段の操作を行うことなく自身の年齢に合致した情報を迅速に得ることができる。
【００８４】
第３発明及び第９発明にあっては、撮像した車両搭乗者の顔面画像を車両側から情報提供装置へ送信する一方、情報提供装置は受信した顔面画像に対する比較処理等を行うことにより推定した年齢に応じた情報を車両側へ送信するので、車両搭乗者は通信の開始操作を行うだけで年齢に応じた情報を取得でき、また、車載機器は年齢推定に係る処理を省略できる。
【００８５】
第４発明及び第１１発明にあっては、情報提供装置が受信した年齢に基づき情報を生成すると共に生成した情報を送信するので、受信した内容に柔軟に対応して所要の情報を提供できる。
第５発明にあっては、車載用機器が車両搭乗者の顔面撮像を行うと共にテーブルで規定した顔面との比較処理等を経て推定した年齢を無線で外部へ送信するため、搭乗者に特段の操作を要求することなく外部へ車両搭乗者の年齢を伝えることができる。
【００８６】
第６発明にあっては、車載用機器が撮像した車両搭乗者の顔面画像に対する比較処理等により推定した年齢に基づき、受信した情報を改変するので、車両搭乗者の年齢に応じた情報の提供を車両側の処理で行える。
第１０発明にあっては、情報提供装置が年齢都度に対応する情報を記憶するので、情報提供装置が年齢に係る情報を受信すれば、年齢を手掛かりにして年齢に応じた情報を容易に提供できる。
【００８７】
第１２発明にあっては、車載機器が表示手段を備えるので、年齢に応じた情報を車両内で表示できる。
第１３発明にあっては、情報生成手段が年齢に基づき表示される情報の文字サイズを設定するので、年齢に応じた情報の見やすさを確保できる。
第１４発明にあっては、情報生成手段が年齢に基づき漢字の変換程度を設定するので、年齢に応じた認識しやすい情報の表示形態を確保できる。
【００８８】
第１５発明にあっては、撮像手段に遠赤外カメラを用いるので、車両内外の状況に関係なく確実に車両搭乗者の顔面を撮像できる。
第１６発明にあっては、起動に係る指示に応じて撮像手段が撮像を行うので、情報の通信開始をスムーズに行えると共に車両搭乗者の顔面撮像も確実に行うことができる。
【図面の簡単な説明】
【図１】本発明の第１実施形態に係る車両用情報提供システムの全体構成図である。
【図２】ディスプレイ装置の内部構成を示すブロック図である。
【図３】ディスプレイ装置の外観を示す概略図である。
【図４】サーバの内部構成を示すブロック図である。
【図５】第１実施形態の車両用情報提供方法に係る第１フローチャートである。
【図６】変形例の車両用情報提供システムに係る車両側の構成を示す概略図である。
【図７】第２実施形態に係る車両用情報提供システムの全体構成図である。
【図８】第２実施形態の車両用情報提供方法に係る第２フローチャートである。
【図９】第３実施形態に係るディスプレイ装置の内部構成を示すブロック図である。
【図１０】第３実施形態の車両用情報提供方法に係る第３フローチャートである。
【図１１】第４実施形態に係る車両用情報提供システムの全体構成図である。
【図１２】第４実施形態の車両用情報提供方法に係る第４フローチャートである。
【符号の説明】
１  車両用情報提供システム
２  サーバ
２ａ  情報記憶部
２ｂ  ＣＰＵ
２ｃ  通信インタフェース
３  インターネット
４ａ〜４ｃ  無線基地局
５  ディスプレイ装置
６  通信装置
１０  遠赤外カメラ
１０ａ  撮像レンズ
１１  表示モジュール
１２  信号処理ＬＳＩ
１３  通信インタフェースＬＳＩ
１５  マイコン
１６  操作部
１６ａ〜１６ｄ  スイッチ
Ｓ  車両
【図１】
2004334799.tif 000003
【図２】
2004334799.tif 000004
【図３】
2004334799.tif 000005
【図４】
2004334799.tif 000006
【図５】
2004334799.tif 000007
【図６】
2004334799.tif 000008
【図７】
2004334799.tif 000009
【図８】
2004334799.tif 000010
【図９】
2004334799.tif 000011
【図１０】
2004334799.tif 000012
【図１１】
2004334799.tif 000013
【図１２】
2004334799.tif 000014